(57)【要約】【課題】光ディスクなどの記録媒体と光ピックアップなどの光学ユニットの光軸との相対精度等を良好に維持しながら、軽量小型化を実現することができるディスク記録再生装置を提供すること。【解決手段】本発明のディスク記録再生装置は、ディスク回転モータ、光学ユニット及び移動機構等を保持するメインシャーシを樹脂材で成形し、充電電池を保持するサブシャーシを前記メインシャーシに固着するよう構成して、光学ユニットの光ピックアップが最外周位置に到達したとき光ピックアップが当接するメインシャーシを所望の形状に樹脂成形することにより、メインシャーシの剛性を維持しつつメインシャーシの外形寸法を小さく形成する。【選択図】　　　　図１
2004145947.tif 000002
【特許請求の範囲】
【請求項１】
ディスク状の記録媒体を回転駆動するディスク回転モータと、
前記記録媒体にデータを記録再生する光学ユニットと、
前記光学ユニットを前記記録媒体に対して移動させる移動機構と、
前記ディスク回転モータ、前記光学ユニット及び前記移動機構を保持し、樹脂材で形成されたメインシャーシと、
前記メインシャーシに一部が埋設されて固着され充電電池を保持する金属で形成されたサブシャーシと、
を具備するディスク記録再生装置。
【請求項２】
光学ユニットにおける光ピックアップが記録媒体の半径方向に移動するよう構成され、前記光ピックアップが記録媒体の記録面における最外周位置に到達したとき、前記光ピックアップが当接する前記メインシャーシにおける最外位置のフレームの断面形状が内側に曲がった実質的なＬ字形状を有し、そのときの前記光ピックアップが最外位置の前記フレームの内側に配置されるよう構成された請求項１に記載のディスク記録再生装置。
【請求項３】
光ピックアップが記録媒体の記録面における最外周位置に到達したとき、前記光ピックアップが配置される前記メインシャーシにおける最外位置のＬ字形状のフレームは、光ピックアップ側へ突出した補強部と移動機構の一端を保持する内壁により構成された請求項２に記載のディスク記録再生装置。
【請求項４】
メインシャーシ側に形成されたサブシャーシの埋設部をメインシャーシの樹脂成形時に金型内に配置して、前記埋設部を前記メインシャーシにより埋めるとともに、前記埋設部の両側となる最外位置端面が露出するよう構成された請求項１又は２に記載のディスク記録再生装置。
【請求項５】
メインシャーシ側に形成されたサブシャーシの埋設部に孔を形成し、前記埋設部をメインシャーシの樹脂成形時に金型内に配置して、前記埋設部が前記メインシャーシに埋設されるよう構成された請求項１又は２に記載のディスク記録再生装置。
【請求項６】
メインシャーシ側に形成されたサブシャーシの埋設部の中央部分に孔と、当該中央部分の先端を屈曲した屈曲端部とを形成するとともに、前記埋設部の両側部分の先端が凹凸のない滑らかな形状を有し、前記埋設部をメインシャーシの樹脂成形時に金型内に配置して、前記埋設部が前記メインシャーシに埋設されるよう構成された請求項１又は２に記載のディスク記録再生装置。
【請求項７】
メインシャーシが、当該メインシャーシに直接的に複数の構成部品を固着するための固定部材と、剛性を高めるためのリブとを一体成形により構成された請求項１又は２に記載のディスク記録再生装置。
【発明の詳細な説明】
【０００１】
【発明の属する技術分野】
本発明はディスク状の記録媒体に記録再生するディスク記録再生装置に関し、特に携帯用のディスク記録再生装置に関するものである。
【０００２】
【従来の技術】
ディスク状の記録媒体を光ピックアップにより読み取り再生する携帯用のディスク記録再生装置としては、携帯用ＭＤプレーヤーが一般に普及している。携帯用ＭＤプレーヤーは、カートリッジ内に直径６４ｍｍのディスク状の記録媒体を内蔵したミニディスク（ＭＤ）を用いて、このＭＤに記録された音楽を再生するものである。このような携帯用のディスク再生装置においては、手軽に持ち運べてどこででも聴けることが最大の利点であり、そのため小型軽量化はこの分野において常に達成すべき重要な課題である。
【０００３】
携帯用ＭＤプレーヤーでは、機器本体に収納する電源電池として、実質的に長板形状、すなわちガム型の充電電池（６５ｍｍ×１７ｍｍ×６ｍｍ）が使用されている。この充電電池は、携帯用ＭＤプレーヤーにおいては重量物であり、且つ大きな空間を機器内で占有するものである。したがって、携帯用ＭＤプレーヤーでは充電電池によりその形状及び重量が大きく制約されている。従来の携帯用ＭＤプレーヤーにおいては、できるだけ外観形状を小さくする目的で、充電電池を収納するための電池用シャーシをできるだけ薄く形成するために、高剛性で薄肉の金属材料、例えば０．３ｍｍの厚みのステンレス材を用いたものがある。そして、電池以外の主要な構成部品を保持するためのメインシャーシは、その軽量化を図るために軽比重金属材料として０．８ｍｍの厚みのアルミニウム材で形成されていたものがあった（例えば特許文献１参照）。
【０００４】
図１５は従来の携帯用ＭＤプレーヤーの内部構成を示す平面図であり、図１６はその内部構成の底面図である。図１５において、ディスク状の記録媒体（以下ディスクと称す）２と、このディスク２を内蔵するカートリッジ１とを２点鎖線で示す。
図１５及び図１６に示した従来の携帯用ＭＤプレーヤーは、金属製のメインシャーシ１０３に、カートリッジ１内のディスク２を回転させるディスク回転モータ１０５、ディスク２にアクセスする光学ユニットとしての光ピックアップ１０７を移動させる移動機構などが載置されて組付けられている。移動機構は、送りモータ１０６と、この送りモータ１０６の回転軸に取付けられたモータギア１０６ａと、このモータギア１０６ａに中間ギア１０８を介して連動する駆動ギア１０９と、駆動ギア１０９と一体的に結合され、ねじ状溝が形成された送りシャフト１１０と、メインシャーシ１０３に取付けられて送りシャフト１１０をその両端で回動自在に支持するシャフト受け１１１とを有している。このように構成された移動機構により、送りモータ１０６を回転駆動させることにより、送りシャフト１１０が回転する。この送りシャフト１１０には光ピックアップ１０７が螺合しているため、送りシャフト１１０の回転により光ピックアップ１０７は、ディスク２の半径方向における所望の位置に移動する。
【０００５】
携帯用ＭＤプレーヤーには、電源電池として、実質的に長板形状、すなわちガム型の充電電池１１３が使用されている。この充電電池１１３は、前述のメインシャーシ１０３に固定されたサブシャーシ１０４に保持される。サブシャーシ１０４の外形寸法は携帯用ＭＤプレーヤーの外観形状に大きく影響を与えるため、できるだけ小さく形成する必要がある。したがって、サブシャーシ１０４はステンレス製の剛性のある薄肉の材料により形成されている。
サブシャーシ１０４はメインシャーシ１０３の一側面部分（図１５におけるメインシャーシ１０３の下側の側面部分）に接して固着され一体的に形成されている。
【０００６】
上記のように構成されたメインシャーシ１０３とサブシャーシ１０４は、機器本体の外観をなす外装上ケースと外装下ケースとにより構成された外装ケース内に収納されている。機器本体の蓋をなす外装上ケースの内部にはカートリッジ１を保持するホルダー（図示無し）が配設されている。外装上ケースは、機器本体の後部両側面に構成された支軸を中心に前面側を、ホルダーと共に持ち上げるように回動自在に構成されている。外装上ケースを開けた状態において、ホルダーに収納されたカートリッジ１は着脱自在となる。ホルダー内にカートリッジ１が保持された状態において、蓋である外装上ケースが閉じられることにより、カートリッジ１がメインシャーシ１０３に設けた複数のカートリッジ受け１０３ａ，１０３ｂと、サブシャーシ１０４に設けたカートリッジ受け１０４ａ，１０４ｂと係合して、カートリッジ１内のディスク２がディスク回転モータ１０５のターンテーブル上に載置されるよう構成されている。
【０００７】
以上のように構成された従来の携帯用ＭＤプレーヤーは、ディスク２と光ピックアップ１０７の光軸との相対精度等を維持するために、メインシャーシ１０３の板厚が０．８ｍｍ以上のアルミニウム合金等の軽比重材料で形成し、サブシャーシ１０４の板厚が０．３ｍｍ以上の薄肉のステンレス等の高剛性材料で形成されている。そして、金属製のメインシャーシ１０３には、前述の主要な構成部品等を取付けるために複数の樹脂固定部が樹脂成形により設けられている。
前述のように構成された従来の携帯用ディスク再生装置である携帯用ＭＤプレーヤーにおいては、メインシャーシ１０３が軽比重金属材料であるアルミニウム合金で形成され、サブシャーシ４が高剛性材料であるステンレス材料で形成されている。このように従来の携帯用ＭＤプレーヤーではメインシャーシ１０３の軽量化と、サブシャーシ１０４の薄形化を図り、装置全体としての薄型軽量化を図っていた。
【０００８】
【特許文献１】
特開２００１−３１９４６５号公報（第３−４頁、図１）
【０００９】
【発明が解決しようとする課題】
しかし、前述の従来の携帯用ＭＤプレーヤーにおいては次のような問題を有していた。
図１７は、前述の従来の携帯用ＭＤプレーヤーにおいてサブシャーシ１０４とメインシャーシ１０３が互いに固着されて、部品を固定するための樹脂固定部１２２が成型された状態を示す断面図である。図１７に示すように、サブシャーシ１０４の小孔１０４ａにメインシャーシ１０３の突起１２１を挿入して、その突起１２１を上部から押圧して押し広げ、メインシャーシ１０３とサブシャーシ１０４を互いに固定している。このように固定されたメインシャーシ１０３とサブシャーシ１０４は、金型内に配置されて樹脂成形され、互いに固着されると共に所望形状の樹脂固定部１２２が形成される。上記のように、従来の携帯用ＭＤプレーヤーにおいては、まずステンレス製のサブシャーシ１０４とアルミニウム製のメインシャーシ１０３とを金属同士仮止めして、その後に樹脂固定部１２２等を成型して互いに固着していた。このため、従来の携帯用ＭＤプレーヤーにおいては製造における工程が複雑であり、工数が多いという問題を有していた。
また、材質の異なる金属を仮止めした後、樹脂成形により固着する方法であるため、樹脂成形後にメインシャーシ１０３とサブシャーシ１０４が変形するという問題があり、製品の歩留まりが悪いという問題があった。
【００１０】
図１８は、従来の携帯用ＭＤプレーヤーにおいて、光ピックアップ１０７が移動機構によりディスク２の最外周位置に到達したときの状態を示す断面図である。なお、図１８において、光ピックアップ１０７の移動方向（ディスク２の半径方向）は左右方向であり、光ピックアップ１０７のレンズ１０７ｂによりディスク２の最外周のトラックが読み込まれている状態を示す。このときの光ピックアップ１０７は、その光ピックアップ基台１０７ａの外周側端部がメインシャーシ１０３の内壁面１０３ｆに当接している。内壁面１０３ｆに繋がる内壁１０３ｄには光ピックアップ１０７を駆動するための送りシャフト１１０の一端が固定されている。図１８に示すように、光ピックアップ基台１０７ａの外周側端部が当接する内壁面１０３ｆの上部には、メインシャーシ１０３のプレス加工により生じる屈曲部１０３ｃが形成されている。この屈曲部１０３ｃは内壁１０３ｄの強度を高めて、送りシャフト１１０の保持を確実なものとしている。しかし、屈曲部１０３ｃは、装着されるカートリッジ１の半径方向において、カートリッジ１の外側より大きく突出している。このため、メインシャーシ１０３の外形寸法が大きくなり、引いては外装ケースが大きくなるという問題があった。
【００１１】
本発明は、上記従来のディスク記録再生装置における問題を解決するものであり、光ディスクなどの記録媒体と光ピックアップなどの光学ユニットの光軸との相対精度等を良好に維持しながら、小型軽量化を実現することができるディスク記録再生装置を提供することを目的する。
【００１２】
【課題を解決するための手段】
本発明に係るディスク記録再生装置は、
ディスク状の記録媒体を回転駆動するディスク回転モータと、
前記記録媒体にデータを記録再生する光学ユニットと、
前記光学ユニットを前記記録媒体に対して移動させる移動機構と、
前記ディスク回転モータ、前記光学ユニット及び前記移動機構を保持し、樹脂材で形成されたメインシャーシと、
前記メインシャーシに一部が埋設されて固着され充電電池を保持する金属で形成されたサブシャーシと、を具備する。このように構成された本発明のディスク記録再生装置は、記録媒体と光学ユニットの光軸との相対精度等を良好に維持しながら、小型軽量化を実現している。
【００１３】
本発明に係るディスク記録再生装置は、光学ユニットにおける光ピックアップが記録媒体の半径方向に移動するよう構成され、前記光ピックアップが記録媒体の記録面における最外周位置に到達したとき、前記光ピックアップが当接する前記メインシャーシにおける最外位置のフレームの断面形状が内側に曲がった実質的なＬ字形状を有し、そのときの前記光ピックアップが最外位置の前記フレームの内側に配置されるよう構成してもよい。このように構成することにより、ディスク記録再生装置の外形寸法を小さくし、携帯性に優れた形状となる。
【００１４】
本発明に係るディスク記録再生装置は、光ピックアップが記録媒体の記録面における最外周位置に到達したとき、前記光ピックアップが配置される前記メインシャーシにおける最外位置のＬ字形状のフレームは、光ピックアップ側へ突出した補強部と移動機構の一端を保持する内壁により構成してもよい。このように構成することにより、ディスク記録再生装置の外形寸法を小さくするとともに、シャーシが強度を有する構成となる。
【００１５】
本発明に係るディスク記録再生装置は、メインシャーシ側に形成されたサブシャーシの埋設部をメインシャーシの樹脂成形時に金型内に配置して、前記埋設部を前記メインシャーシにより埋めるとともに、前記埋設部の両側となる最外位置端面が露出するよう構成してもよい。このように構成することにより、ディスク記録再生装置におけるメインシャーシとサブシャーシが曲がることなく所望の形状で一体的に成型される。
【００１６】
本発明に係るディスク記録再生装置は、メインシャーシ側に形成されたサブシャーシの埋設部に孔を形成し、前記埋設部をメインシャーシの樹脂成形時に金型内に配置して、前記埋設部が前記メインシャーシに埋設されるよう構成してもよい。このように構成することにより、ディスク記録再生装置におけるメインシャーシとサブシャーシが確実に一体的に成型される。
【００１７】
本発明に係るディスク記録再生装置は、メインシャーシ側に形成されたサブシャーシの埋設部の中央部分に孔と、当該中央部分の先端を屈曲した屈曲端部とを形成するとともに、前記埋設部の両側部分の先端が凹凸のない滑らかな形状を有し、前記埋設部をメインシャーシの樹脂成形時に金型内に配置して、前記埋設部が前記メインシャーシに埋設されるよう構成してもよい。このように構成することにより、ディスク記録再生装置におけるメインシャーシとサブシャーシが曲がることなく所望の形状で一体的に成型される。
【００１８】
本発明に係るディスク記録再生装置は、メインシャーシが、当該メインシャーシに直接的に複数の構成部品を固着するための固定部材と、剛性を高めるためのリブとを一体成形により構成してもよい。このように構成することにより、ディスク記録再生装置におけるメインシャーシとサブシャーシが剛性を確保して確実に成型される。
【００１９】
【発明の実施の形態】
以下、本発明に係るディスク記録再生装置の好適な実施例を添付の図面を参照して説明する。
【００２０】
《実施例１》
図１は本発明に係る実施例１のディスク記録再生装置における内部構成を示す平面図である。図２は図１に示したディスク記録再生装置の内部構成を示す底面図である。図３は図１に示したディスク記録再生装置の内部構成の一側面を示す側面図である。図１及び図３において、ディスク状の記録媒体（以下ディスクと称す）２と、このディスク２を内蔵するカートリッジ１とを２点鎖線で示す。図１、図２及び図３に示した実施例１のディスク記録再生装置においては、その一例として携帯用ＭＤプレーヤーを用いて説明するが、本発明のディスク記録再生装置はディスク状の記録媒体に記録再生できる装置に適用可能である。
【００２１】
実施例１のディスク記録再生装置においては、主要な部品が取付けられる樹脂製のメインシャーシ３と充電電池１３を保持する金属製のサブシャーシ４が一体的に固着されて構成されている。樹脂製のメインシャーシ３には、カートリッジ１内のディスク２を回転させるディスク回転モータ５、ディスク２にアクセスする光学ユニットとしての光ピックアップ７を移動させる移動機構などが載置されて組付けられている。移動機構は、送りモータ６と、この送りモータ６の回転軸に取付けられたモータギア６ａと、このモータギア６ａに中間ギア８を介して連動する駆動ギアと、駆動ギア９と一体的に結合され、ねじ状溝が形成された送りシャフト１０と、メインシャーシ３に取付けられて送りシャフト１０をその両端で回動自在に支持するシャフト受け１１とを有している。このように構成された移動機構により、送りモータ６を回転駆動させることにより、送りシャフト１０が回転する。この送りシャフト１０には光ピックアップ７が螺合しているため、送りシャフト１０の回転により光ピックアップ７は、ディスク２の半径方向における所望の位置に移動する。
【００２２】
実施例１のディスク記録再生装置においては、機器本体内に収納される電源電池１３として、実質的に長板形状、すなわちガム型の充電電池（６５ｍｍ×１７ｍｍ×６ｍｍ）１３が使用されている。この充電電池１３は、重量物であり、且つ大きな空間を機器内に占有するものであるため、充電電池１３を収納するサブシャーシ４をできるだけ薄く形成している。具体的には、高剛性で薄肉の金属材料、例えば０．３ｍｍの厚みのステンレス材を用いてサブシャーシ４は形成されている。これにより、実施例１のディスク記録再生装置の外観形状が充電電池１３で規定される形状と殆ど同じ形状となる。
【００２３】
充電電池１３を収納するサブシャーシ４の長手方向の側面が、メインシャーシ３の一側面部分（図１におけるメインシャーシ３の下側の側面部分）に接して固着され一体的に形成されている。図３は、実施例１のディスク記録再生装置における主要な部品が取付けられた樹脂製のメインシャーシ３と充電電池１３を保持する金属製のサブシャーシ４が一体的に固着された状態を示す側面図である。図３に示すように、メインシャーシ３とサブシャーシ４が固着された状態において、その幅がディスク２を有するカートリッジ１の幅と実質的に同じである。
【００２４】
上記のように構成されたメインシャーシ３とサブシャーシ４は、機器本体の外観をなす外装上ケース（図示無し）と外装下ケース（図示無し）とにより構成された外装ケース内に収納されている。機器本体の蓋をなす外装上ケースの内部にはカートリッジ１を保持するホルダー（図示無し）が配設されている。外装上ケースは、機器本体の後部両側面に構成された支軸を中心に前面側を、ホルダーと共に持ち上げるように回動自在に構成されている。外装上ケースを開けた状態において、ホルダーに収納されたカートリッジは着脱自在となる。ホルダー内にカートリッジ１が保持された状態において、蓋である外装上ケースが閉じられることにより、カートリッジ１がメインシャーシ３に設けた複数のカートリッジ受け３ａ，３ｂと、サブシャーシ４に設けたカートリッジ受け４ａ，４ｂと係合して、カートリッジ１内のディスク２がディスク回転モータ５のターンテーブル上に載置されるよう構成されている。
【００２５】
以上のように構成された実施例１のディスク記録再生装置は、ディスク２と光ピックアップ７の光軸との相対精度等を維持するために、樹脂製のメインシャーシ３において複数のリブが強度計算に基づき形成されている。そして、メインシャーシ３には、前述の主要な構成部品等を取付けるために複数の固定部が形成されており、これらの固定部はメインシャーシ３の金型成形時に同時に形成される。
このように実施例１のディスク記録再生装置は、メインシャーシ３が金属より比重の軽い樹脂材により形成され、サブシャーシ４が高剛性材料で薄いステンレス材料で形成されている。このように実施例１のディスク記録再生装置はメインシャーシ３の軽量化と、サブシャーシ４の薄形化を図り、装置全体としての薄型軽量化を達成している。
【００２６】
図４は実施例１のディスク記録再生装置の内部構成において、光ピックアップ７が移動機構によりディスク２の最外周位置に到達したときの状態を示す平面図である。図５は、図４に示す状態における、光ピックアップ７が最外周位置に到達したときの状態を示す断面図である。なお、図５において、光ピックアップ７の移動方向（ディスク２の半径方向）は左右方向であり、光ピックアップ７のレンズ７ｂによりディスク２の最外周のトラックが読み込まれている状態を示す。このときの光ピックアップ７は、その光ピックアップ基台７ａの外周側端部がメインシャーシ３の内壁面３ｆに当接している。内壁面３ｆに繋がる内壁３ｃには光ピックアップ７を駆動するための送りシャフト１０の一端が固定されている。
【００２７】
図５に示すように、光ピックアップ基台７ａの外周側端部が当接する内壁面３ｆの下部には、メインシャーシ３の補強部３ｇが形成されている。この補強部３ｇは内壁３ｃの強度を高めて、送りシャフト１０の保持を確実なものとしている。この補強部３ｇは、光ピックアップ７の移動方向において、光ピックアップ７側に突出するよう形成されている。しかし、突出している補強部３ｇに対向する光ピックアップ基台７ａの部分は切り欠けて凹部７ｃが形成されており、互いに接触しないよう構成されている。このため、メインシャーシ３の内壁３ｃの厚み（光ピックアップ７の移動方向における厚み）が薄く形成されている。実施例１においては、この内壁３ｃが例えば０．５ｍｍに形成されているため、光ピックアップ７の移動方向におけるメインシャーシ３の外形寸法を小さく形成し、この方向におけるメインシャーシ３の外形寸法をカートリッジ１の外形寸法にできる限り近づけて、実質的に同じ大きさとなるようにしている。
【００２８】
図６は図４におけるＶＩ−ＶＩ線による断面図であり、樹脂製のメインシャーシ３と金属製のサブシャーシ４との固着部分を示す断面図である。図７は図６におけるＶＩＩ−ＶＩＩ線による断面図であり、サブシャーシ４のメインシャーシ３側の埋設部４ｄが樹脂製のメインシャーシ３に埋設されている状態を示している。
図６に示すように、金属製のサブシャーシ４の埋設部４ｄには複数の長孔４ｃが形成されている。メインシャーシ３が樹脂成形されるときサブシャーシ４が金型内に配置されその埋設部４ｄが樹脂により覆われるため、この埋設部４ｄに形成された長孔４ｃ内には樹脂が充填されサブシャーシ４はメインシャーシ３に確実に固着される（図７参照）。
【００２９】
図８は図４においてメインシャーシ３とサブシャーシ４との固着部分を矢印Ｅ方向から見た拡大図である。図９は図４においてメインシャーシ３とサブシャーシ４との固着部分を矢印Ｆ方向から見た拡大図である。図８及び図９に示すように、実施例１においてはサブシャーシ４の長手方向（図４における左右方向）の両端面がメインシャーシ３の樹脂部分から露出している。これは、サブシャーシ４の長手方向の両端面を樹脂で覆った場合に、樹脂成形後の樹脂収縮によりメインシャーシ３の長手方向の両側から押圧され湾曲するのを防止するためである。
【００３０】
上記のように、実施例１のディスク記録再生装置においては、メインシャーシ３を金属より比重が大幅に小さい樹脂を用いて複数の構成部品を固定するための固定部と合わせて一体成形して、装置の軽量化と製造工程の簡略化を図っている。
また、実施例１のディスク記録再生装置においては、光ピックアップ７が最外周位置に到達したとき、光ピックアップ７が当接するメインシャーシ３の内壁３ｃの断面形状を内側に曲がったＬ字型とし、その時の光ピックアップ７を内壁３ｃにより内包するよう構成することにより、メインシャーシ３の剛性を維持しつつメインシャーシ３の外形寸法を小さく形成している。これにより、実施例１のディスク記録再生装置は、メインシャーシ３の軽量化と小型化を図り、装置全体としての軽量小型化を達成している。
さらに、実施例１のディスク記録再生装置においては、樹脂製のメインシャーシ３と金属製のサブシャーシ４とを確実に固着できると共に、樹脂成形時に生じるおそれのあるサブシャーシ４の湾曲を防止している。
【００３１】
《実施例２》
以下、本発明に係る実施例２のディスク記録再生装置について説明する。実施例２のディスク記録再生装置は、前述の図１及び図２に示した実施例１のディスク記録再生装置の構成と同じであり、異なる点は樹脂製のメインシャーシ３と金属製のサブシャーシ４との固着方法である。したがって、その固着方法について以下説明し、その他の構成は実施例１の説明を援用する。
【００３２】
図１０は、前述の図６と実質的に同様に、実施例２のディスク記録再生装置における樹脂製のメインシャーシ３と金属製のサブシャーシ４との固着部分を示す断面図である。図１１は図１０におけるＸＩ−ＸＩ線による断面図であり、図１２は図１０におけるＸＩＩ−ＸＩＩ線による断面図である。図１１及び図１２は、サブシャーシ４のメインシャーシ３側の埋設部４ｇが樹脂製のメインシャーシ３に埋設されている状態を示している。
図１０に示すように、金属製のサブシャーシ４の埋設部４ｇにはその中央部分近傍に長孔４ｃが形成されており、その両側には段差４ｅが形成されている。これにより、埋設部４ｇの形状は長手方向の両側部分の高さが低く形成されており、中央部分の高さが高く形成されている。なお、実施例２においては、埋設部４ｇに２つの長孔４ｃを形成した例で説明しているが１つであっても複数であってもよい。
【００３３】
図１１に示すように、埋設部４ｇの中央部分の先端には折れ曲がった屈曲端部４ｆが形成されている。このように、埋設部４ｇの中央部分に屈曲端部４ｆを形成することにより、埋設部４ｇに形成された長孔４ｃ内には樹脂が充填されるとともに屈曲端部４ｆが樹脂に覆われるため、サブシャーシ４はメインシャーシ３に確実に固着される。なお、図１２に示すように、サブシャーシ４における段差４ｅより両側の部分には屈曲端部４ｆは形成されていない。これは、サブシャーシ４の両側における先端部分を凹凸のない滑らかな形状とすることにより、樹脂成形後の樹脂収縮によりサブシャーシ４に生じる応力を低減するためである。
【００３４】
図１３は、前述の図８と同じように、メインシャーシ３とサブシャーシ４との固着部分を一方向（図４における矢印Ｅ方向に相当）から見た拡大図である。図１４は、前述の図９と同じように、メインシャーシ３とサブシャーシ４との固着部分を図１３と反対方向（図４における矢印Ｆ方向に相当）から見た拡大図である。図１３及び図１４に示すように、前述の実施例１と同様に、実施例２はサブシャーシ４の長手方向の両端面がメインシャーシ３の樹脂部分から露出している。これは、サブシャーシ４の長手方向の両端面を樹脂で覆った場合に、樹脂成形後の樹脂収縮によりメインシャーシ３の長手方向の両側から押圧され曲がるのを防止するためである。
【００３５】
上記のように、実施例２のディスク記録再生装置は、前述の実施例１における効果を有すると共に、樹脂成形時に生じるおそれのあるサブシャーシ４の湾曲を確実に防止している。
【００３６】
【発明の効果】
以上、実施の形態について詳細に説明したところから明らかなように、本発明は次の効果を有する。
本発明によれば、光ディスクなどの記録媒体と光ピックアップなどの光学ユニットの光軸との相対精度等を良好に維持しながら、小型軽量化を実現したディスク記録再生装置を提供することができる。
本発明によれば、ディスク記録再生装置におけるシャーシの外形寸法を小さくすることが可能となり、携帯性に優れた小型形状を有するディスク記録再生装置を提供することができる。
【００３７】
本発明のディスク記録再生装置においては、メインシャーシを樹脂を用いて複数の部品固定部と合わせて一体成形して、装置の軽量化と製造工程の簡略化を図ることができる。
本発明のディスク記録再生装置においては、光ピックアップが最外周位置に到達したとき光ピックアップが当接するメインシャーシを所望の形状に樹脂成形することにより、メインシャーシの剛性を維持しつつメインシャーシの外形寸法を小さく形成することができる。これにより、本発明のディスク記録再生装置は、メインシャーシの軽量化と小型化を図り、装置全体としての軽量小型化を達成している。
本発明のディスク記録再生装置においては、樹脂製のメインシャーシと金属製のサブシャーシとを確実に固着できると共に、樹脂成形時に生じるおそれのあるサブシャーシの湾曲を防止している。
【００３８】
本発明によれば、メインシャーシを樹脂により構成することにより、少ない製造工程で信頼性の高いディスク記録再生装置を確実に得ることができる。
本発明によれば、サブシャーシの埋設部を特殊な形状とすることにより、メインシャーシとサブシャーシが曲がることなく所望の形状で一体的に成型されるとともに、メインシャーシとサブシャーシの成型品が剛性を有するため信頼性の高いディスク記録再生装置を提供することができる。
【図面の簡単な説明】
【図１】本発明に係る実施例１のディスク記録再生装置における内部構成を示す平面図である。
【図２】図１に示したディスク記録再生装置の内部構成を示す底面図である。
【図３】図１に示したディスク記録再生装置の内部構成の一側面を示す側面図である。
【図４】実施例１のディスク記録再生装置の内部構成において、光ピックアップ７が移動機構によりディスク２の最外周位置に到達したときの状態を示す平面図である。
【図５】図４に示す状態における、光ピックアップ７が最外周位置に到達したときの状態を示す断面図である。
【図６】図４におけるＶＩ−ＶＩ線による断面図である。
【図７】図６におけるＶＩＩ−ＶＩＩ線による断面図である。
【図８】図４においてメインシャーシ３とサブシャーシ４との固着部分を矢印Ｅ方向から見た拡大図である。
【図９】図４においてメインシャーシ３とサブシャーシ４との固着部分を矢印Ｆ方向から見た拡大図である。
【図１０】実施例２のディスク記録再生装置における樹脂製のメインシャーシ３と金属製のサブシャーシ４との固着部分を示す断面図である。
【図１１】図１０におけるＸＩ−ＸＩ線による断面図である。
【図１２】図１０におけるＸＩＩ−ＸＩＩ線による断面図である。
【図１３】実施例２のディスク記録再生装置におけるメインシャーシ３とサブシャーシ４との固着部分を一方向から見た拡大図である。
【図１４】実施例２のディスク記録再生装置におけるメインシャーシ３とサブシャーシ４との固着部分を図１３と反対方向から見た拡大図である。
【図１５】従来の携帯用ＭＤプレーヤーの内部構成の平面図である。
【図１６】従来の携帯用ＭＤプレーヤーの内部構成の底面図である。
【図１７】従来の携帯用ＭＤプレーヤーにおいてサブシャーシ１０４とメインシャーシ１０３が互いに固着されて、部品を固定するための樹脂固定部１２２が成型された状態を示す断面図である。
【図１８】従来の携帯用ＭＤプレーヤーにおいて、光ピックアップ１０７が移動機構によりディスク２の最外周位置に到達したときの状態を示す断面図である。
【符号の説明】
１　　カートリッジ
２　　ディスク
３　　メインシャーシ
３ｃ　内壁
３ｆ　内壁面
３ｇ　補強部
４　　サブシャーシ
４ｃ　長孔
４ｄ　埋設部
４ｅ　段差
４ｇ　埋設部
５　　ディスク回転モータ
６　　送りモータ
７　　光ピックアップ
７ａ　光ピックアップ基台
７ｂ　レンズ
８　　中継ギア
９　　駆動ギア
１０　　送りシャフト
１３　　充電電池
【図１】
2004145947.tif 000003
【図２】
2004145947.tif 000004
【図３】
2004145947.tif 000005
【図４】
2004145947.tif 000006
【図５】
2004145947.tif 000007
【図６】
2004145947.tif 000008
【図７】
2004145947.tif 000009
【図８】
2004145947.tif 000010
【図９】
2004145947.tif 000011
【図１０】
2004145947.tif 000012
【図１１】
2004145947.tif 000013
【図１２】
2004145947.tif 000014
【図１３】
2004145947.tif 000015
【図１４】
2004145947.tif 000016
【図１５】
2004145947.tif 000017
【図１６】
2004145947.tif 000018
【図１７】
2004145947.tif 000019
【図１８】
2004145947.tif 000020